(57)【要約】【課題】レール本体に対するレールカバーの嵌め込み具合を一定にすることができる吊下げ装置を提供する。【解決手段】押出し成形によって形成されたレール２と、このレール２に取り付けられる吊り具３とを備え、前記レール２は、背面側が壁面８に取り付けられるレール本体６と、このレール本体６の正面側を覆うレールカバー７とを備え、レール２の長手方向において部分的に配置され且つレール本体６及びレールカバー７の両者に嵌合する取付具４によってレールカバー７がレール本体６に取り付けられるように構成する。【選択図】      図１
2004298487.tif 000002
【特許請求の範囲】
【請求項１】
押出し成形によって形成されたレール（２）と、このレール（２）に取り付けられる吊り具（３）とを備え、前記レール（２）は、背面側が壁面（８）に取り付けられるレール本体（６）と、このレール本体（６）の正面側を覆うレールカバー（７）とを備え、レール（２）の長手方向において部分的に配置され且つレール本体（６）及びレールカバー（７）の両者に嵌合する取付具（４）によってレールカバー（７）がレール本体（６）に取り付けられるように構成したことを特徴とする吊下げ装置。
【請求項２】
レール本体（６）に、正面側が開口した取付溝（１５）を設け、取付具（４）は、レールカバー（７）の背面側に取り付けられると共に、上下一対の取付片（３０Ａ，３０Ｂ）を備えており、この上下の取付片（３０Ａ，３０Ｂ）を前記取付溝（１５）に正面側から押し込むことにより、レールカバー（７）がレール本体（６）に取り付けられるように構成したことを特徴とする請求項１に記載の吊下げ装置。
【請求項３】
レール（２）の下部に下向き開口状のレール溝（３７）を形成し、このレール溝（３７）内を摺動自在なスライダ（４０）を吊り具（３）の上部に備え、この吊り具（３）をレール（２）から正面側に突出状となる横向き姿勢にして前記スライダ（４０）をレール溝（３７）内に挿入し、この状態から吊り具（３）を下方に揺動させることにより、スライダ（４０）がレール溝（３７）に対して下方に抜止めされ且つレール長手方向に移動自在となるように、吊り具（３）がレール（２）に取り付けられることを特徴とする請求項１又は２に記載の吊下げ装置。
【請求項４】
スライダ（４０）の一部が、レール本体（６）の一部に接当しながら、該スライダ（４０）がレール溝（３７）内に入るように構成したことを特徴とする請求項３に記載の吊下げ装置。
【発明の詳細な説明】
【０００１】
【発明の属する技術分野】
本発明は、絵画や各種の展示物等を壁に吊り下げるための吊下げ装置に関するものである。
【０００２】
【従来の技術】
従来、吊下げ装置として、レールと、このレールに取り付けられる吊り具とを備えてなり、前記レールを、背面側が壁面に取り付けられるレール本体と、このレール本体の正面側に取り付けられるレールカバーとから構成した吊下げ装置がある（特許文献１及び２参照）。
この吊下げ装置にあっては、レール本体に設けられた被嵌合部に、レールカバーに設けられた嵌合部を嵌合させることによって、レール本体にレールカバーが取り付けられるように構成されている。
【０００３】
【特許文献１】
特開２００２−９５５７６号公報。
【特許文献２】
特開平９−３０８５５９号公報。
【０００４】
【発明が解決しようとする課題】
前記従来の吊下げ装置にあっては、レール本体とレールカバーとを押出し成形によって形成した場合、嵌め合いの公差を厳しくできないこと、及び、レールは比較的長尺物（例えば、最大で４〜５ｍ）であるので、搬入時や取付け時において、多少のソリやゆがみが生じることが考えられること等から、レール本体に直接レールカバーを嵌合させるようにしたのでは、嵌め込み具合（強弱）が一定しないという問題がある。
【０００５】
本発明は、前記問題点に鑑みて、レール本体に対するレールカバーの嵌め込み具合を一定にすることができる吊下げ装置を提供することを目的とする。
【０００６】
【課題を解決するための手段】
本発明が技術的課題を解決するために講じた技術的手段は、押出し成形によって形成されたレールと、このレールに取り付けられる吊り具とを備え、前記レールは、背面側が壁面に取り付けられるレール本体と、このレール本体の正面側を覆うレールカバーとを備え、レールの長手方向において部分的に配置され且つレール本体及びレールカバーの両者に嵌合する取付具によってレールカバーがレール本体に取り付けられるように構成したことを特徴とする。
【０００７】
また、レール本体に、正面側が開口した取付溝を設け、取付具は、レールカバーの背面側に取り付けられると共に、上下一対の取付片を備えており、この上下の取付片を前記取付溝に正面側から押し込むことにより、レールカバーがレール本体に取り付けられるように構成するのがよい。
また、レールの下部に下向き開口状のレール溝を形成し、このレール溝内を摺動自在なスライダを吊り具の上部に備え、この吊り具をレールから正面側に突出状となる横向き姿勢にして前記スライダをレール溝内に挿入し、この状態から吊り具を下方に揺動させることにより、スライダがレール溝に対して下方に抜止めされ且つレール長手方向に移動自在となるように、吊り具がレールに取り付けられるのがよい。
【０００８】
また、スライダの一部が、レール本体の一部に接当しながら、該スライダがレール溝内に入るように構成するのがよい。
【０００９】
【発明の実施の形態】
以下、本発明の実施の形態を図面を参照して説明する。
図１〜図５は本発明の一実施の形態を示しており、図１〜図５において、１は絵画や各種の展示物等を吊り下げるための吊下げ装置であり、この吊下げ装置１は、レール２と、このレール２に着脱自在に取り付けられる吊り具３と、取付具４と、レールの長手方向の端部に取り付けられるエンドキャップ５とを備えている。
【００１０】
レール２は、押し出し成形によって長尺に形成されており、背面側（後側）が壁面８に取り付けられるレール本体６と、このレール本体６の正面側（前側）に前記取付具４を介して取り付けられるレールカバー７とを備えてなる。
レール本体６は、背面壁１０と、この背面壁１０の上端から正面側（前方）に延びる上部壁１１と、背面壁１０の上下方向中途部から正面側に延びる中間壁１２と、この中間壁１２の正面側端部から下方に延びる正面下部壁１３と、この正面下部壁１３の下端から背面側（後方）に向けて延びる延設壁１４とを備えている。
【００１１】
背面壁１０の、上部壁１１と中間壁１２との間にはネジ挿通孔１６が形成され、このネジ挿通孔１６を挿通して壁にねじ込まれるネジ１７によって、レール本体６が壁面８に取付固定される。
このように、レール本体６をネジ１７によって壁面８に直付けしているのでレール２の取付が容易に行える。
すなわち、壁面８に複数個のブラケットを取り付け、このブラケットにレール本体を取り付けるようにしたのでは、全部のブラケットの上下方向の位置を合わせる（全部のブラケットを水平に揃える）必要があり、非常に面倒であるが、本実施の形態のものでは、このような面倒がない。
【００１２】
上部壁１１と中間壁１２との間は、正面側が開口した取付溝１５とされており、この取付溝１５の溝開口部から前記ネジ１７が壁にねじ込み可能とされている。
また、上部壁１１の前側壁部１８は、後側壁部１９よりも下位に位置しており、前側壁部１８の後端部と後側壁部１９の前端部とは連結壁部２０によって連結されている。
上部壁１１の前側壁部１８の後端部には、後方に向けて膨出する係合部２１が形成され、中間壁１２の上面側には、前記係合部２１の略真下に位置し且つ上方に向けて膨出する係合部２２が形成されている。
【００１３】
レールカバー７は、取付溝１５の溝開口部及び正面下部壁１３を覆うように形成された主壁部２４と、この主壁部２４の上端から背面側に延びていてレール本体６の上部壁１１の前側壁部１８の上面側に係合（接当）する上係合壁部２５と、主壁部２４の下端側から背面側に延びていてレール本体６の延設壁１４の下面側に係合（接当）する下係合壁部２６とを備えてなり、レール本体６の上端側から下端側に亘って、該レール本体６の正面側略全面を覆うように形成されており、レール２は、正面側から溝等が見えないシンプルでコンパクトなデザインに形成されている。
【００１４】
また、レールカバー７の主壁部２４背面側の上下方向中途部（取付溝１５の溝開口部の上下方向中央部）には、後方に突出する取付壁２７が設けられている。この取付壁２７は、取付具４を取り付けるためのもので、後端側に上下に膨出状とされた抜止め部２８が形成されている。
なお、レールカバー７は押出し成形材であって、同一の仕上げ（メッキ、アルマイト等）が可能である。
取付具４は、本実施の形態では、樹脂等の弾性体によって形成されており、上下一対の取付片３０Ａ，３０Ｂを備えており、上側の取付片３０Ａの後端側には、上方に向けて膨出していて上部壁１１の前側壁部１８の係合部２１に係合する被係合部３１Ａが形成され、下側の取付片３０Ｂの後端側には、下方に向けて膨出していて中間壁１２の係合部２２に係合する被係合部３１Ｂが形成されている。
【００１５】
また、取付具４は、上下各取付片３０Ａ，３０Ｂの前端側から取付片３０Ａ，３０Ｂの対向方向内側に延設されていて、取付壁２７の前部側を挟むように位置する上下一対の正面壁３２Ａ，３２Ｂを備えている。
この上下の正面壁３２Ａ，３２Ｂは、その左右両側（レール２の長手方向両側）が、取付壁２７を取り巻くように円弧状に形成された連結壁３３によって連結され、上下の正面壁３２Ａ，３２Ｂの左右方向中央側（左右連結壁３３間）には、レールカバー７の取付壁２７の抜止め部２８に係合（接当）して、取付具４がレールカバー７（取付壁２７）から離脱するのを防止する規制部３４が設けられている。
【００１６】
この取付具４は、上下正面壁３２Ａ，３２Ｂ間にレールカバー７の取付壁２７が差し込まれるように該取付壁２７に嵌め込むことにより、該取付壁２７に左右方向任意の位置で取り付けられる。
取付具４を取付壁２７に嵌め込む際において、規制部３４及び正面壁３２Ａ，３２Ｂは、抜止め部２８を通過するときに弾性変形して該通過を許容し、抜止め部２８を通過すると元に復元する。
また、取付具４は、レール２の長さに応じて、適宜数、取り付けられる。
【００１７】
なお、前記取付具４の形状は本実施の形態のものに限定されることはなく、レール本体６側に嵌められて保持された取付具に対してレールカバー７を嵌めることにより、レール本体６にレールカバー７が取り付けられるような構造ものであってもよく、また、本実施の形態では、レール本体６の取付溝１５に嵌合する、取付具４の嵌合部分を上下一対の取付片３０Ａ，３０Ｂによって構成し、レールカバー７の取付壁２７に嵌合する、取付具４の嵌合部分を正面壁３２Ａ，３２Ｂ及び規制部３４等によって構成したが、これに限定されることはなく、レール本体６及びレールカバー７に嵌って、レール本体６にレールカバー７を保持できる構造のものであればよい。
【００１８】
前記構成のものにあっては、レールカバー７に取付具４を取り付け、取付具４をレール本体６の取付溝１５に押し込むことにより、レールカバー７をレール本体６に正面側から簡単に着脱自在に取り付けられる。
また、取付具４をレール本体６の取付溝１５に押し込む際において、上下の取付片３０Ａ，３０Ｂは、被係合部３１Ａ，３１Ｂが係合部２１，２２を通過するときに対向方向内側に弾性変形してその通過を許容し、係合部２１，２２を通過すると復元し、被係合部３１Ａ，３１Ｂが係合部２１，２２に係合して取付具４が取付溝１５に対して抜止めされる。
【００１９】
また、このとき、取付片３０Ａ，３０Ｂが上部壁１１及び中間壁１２に対して弾性的に接当することにより、取付具４が、がたつきなく取り付けられる。
なお、取付具４をレール本体６の取付溝１５に押し込むには、例えば、レールカバー７の主壁部２４を下方に向かうに従って前方に移行する傾斜状にして、取付具４の上側の取付片３０Ａを取付溝１５内に入れると共にレールカバー７の上係合壁部２５の後部側をレール本体６の上部壁１１の前側壁部１８に引っかけ、この状態からレールカバー７の下部側を後方に揺動させる。
【００２０】
前記エンドキャップ５は、レール２の長手方向の端部全体を覆うように形成された主壁部４６と、レール本体６の取付溝１５に嵌合する嵌合部４５とを備えている。
このエンドキャップ５の嵌合部４５は、レール本体６の取付溝１５にその溝開口部を介して正面側から嵌合可能とされていて、エンドキャップ５が正面側からレール本体６に着脱自在に取り付け可能とされている。
例えば、レールが取り付けられる壁面に直交する壁面に、レールの長手方向側面が近接するように（壁際に）レール本体が取り付けられる場合において、エンドキャップがレールの長手方向側方からしか取り付けられないものにあっては、エンドキャップをレール本体に取り付ける前に（先に）レール本体を壁面に取り付けてしまうと（エンドキャップを付け忘れた時等の場合）、エンドキャップが後からレール本体に取り付けできないこととなり、不便であるが、前述したように、本実施の形態では、エンドキャップ５を正面側からレール本体６に取り付け可能であるので、レール本体６を壁面８に取り付けた後に、エンドキャップ５をレール本体６に取り付けできるという効果を奏する。
【００２１】
また、レール本体６の背面壁１０の下端側には、前方に突出する突出部３５が設けられ、この突出部３５と延設壁１４との間が溝開口部３６とされていて、レール本体の下部に下側に溝開口部３６を有するレール溝３７が形成されている。
吊り具３は、下部にフック部３８を有する金属製のフック部材３９と、このフック部材３９の上部に設けられていてレール溝３７内を左右方向に摺動するスライダ４０とを有する。
フック部材３９の上部３９ａは左右方向に幅広に形成されていると共に、前方に向けて突出するように屈曲されている。
【００２２】
スライダ４０は、樹脂等の潤滑性のよい、滑りやすい材料によって形成され、吊り具３の左右移動がスムーズに行えるようになっている。
このスライダ４０は、フック部材３９の上部３９ａを被覆するように設けられていて、延設壁１４上をレール長手方向に摺動する本体部４１と、この本体部４１の左右両側からフック部材３９に沿って下方に延びる延出部４２とを有する。延出部４２は、フック部材３９と略同厚に形成されているが、若干（零コンマ数ミリ）フック部材３９から背面側に出ており、金属製のフック部材３９がレール本体６の背面壁１０下端の突出部３５に接触しないように構成されている。
【００２３】
この吊り具３をレール２に取り付けるには、図５に仮想線Ｂで示すように、フック部材３９を、その上部３９ａが上方を指向するようにして、レール２から正面側に突出状となる横向き姿勢にして、スライダ４０を溝開口部３６からレール溝３７内に挿入する。
次に、図５において仮想線Ｄ、仮想線Ｅ、実線Ｆと順に示すように、フック部材を下方に略９０°揺動すると、スライダ４０（の本体部４１）がレール溝３７内に収まり、これによって、吊り具３がレール溝３７内から下方に抜けない状態となる。
【００２４】
また、吊り具３を外すときは、前記と逆の動作によって簡単に取り外せる。
したがって、吊り具３は、レール２の正面側から簡単に着脱でき、取り付け、取り外しにエンドキャップ５を外す必要がない。
また、吊り具３を図５の仮想線Ｅから実線Ｆに揺動する途中において、スライダ４０の本体部４１の後端下部４１ａが、レール本体６の背面壁１０下端の突出部３５に接当し、該突出部３５に押圧されて若干弾性変形しながらレール溝３７内に入る。
【００２５】
このように、スライダ４０の一部が、レール本体６の一部に接当しながら、該スライダ４０がレール溝３７内に入れられるように構成することによって、手応えが得られ、スライダ４０が確実にレール溝３７内に入ったことを確認できると共にスライダ４０がレール溝３７から不慮に抜けるのを防止している。
図６は、本発明の他の実施の形態を示しており、（ａ）に示すものは、前記一実施の形態に対して、レールカバーを下方に延長した点が異なるものであり、その他の構成については、前記一実施の形態と同様に構成されている。
【００２６】
また、（ｂ）に示すものは、レール本体６の正面下部壁１３の上部に凹み部４４を形成し、この凹み部４４にレールカバー７の主壁部２４の上下方向中途部に設けた下係合壁２６を挿入して、該下係合壁２６をレール本体６の中間壁１２の下面に係合させるようにしたものであり、その他の構成については、前記一実施の形態と同様に構成されている。
また、（ｃ）は、大型の吊下げ装置１を示すものである。
本発明は、前記各実施の形態に限定されることはなく、種種の設計変更可能である。
【００２７】
【発明の効果】
本発明によれば、押出し成形によって形成されたレールと、このレールに取り付けられる吊り具とを備え、前記レールは、背面側が壁面に取り付けられるレール本体と、このレール本体の正面側を覆うレールカバーとを備え、レールの長手方向において部分的に配置され且つレール本体及びレールカバーの両者に嵌合する取付具によってレールカバーがレール本体に取り付けられるように構成したことにより、レール本体に対するレールカバーの嵌め込み具合を一定にすることができる。
【００２８】
また、レール本体に、正面側が開口した取付溝を設け、取付具は、レールカバーの背面側に取り付けられると共に、上下一対の取付片を備えており、この上下の取付片を前記取付溝に正面側から押し込むことにより、レールカバーがレール本体に取り付けられるように構成することによって、レールカバーがレール本体に簡単に取り付けられる。
また、レールの下部に下向き開口状のレール溝を形成し、このレール溝内を摺動自在なスライダを吊り具の上部に備え、この吊り具をレールから正面側に突出状となる横向き姿勢にして前記スライダをレール溝内に挿入し、この状態から吊り具を下方に揺動させることにより、スライダがレール溝に対して下方に抜止めされ且つレール長手方向に移動自在となるように、吊り具がレールに取り付けられるように構成することにより、吊り具がレールに簡単に取り付けられる。
【００２９】
また、スライダの一部が、レール本体の一部に接当しながら、該スライダがレール溝内に入るように構成することにより、スライダがレール溝に確実に入ったことが確認できる。
【図面の簡単な説明】
【図１】吊下げ装置の側面断面図である。
【図２】吊下げ装置の正面図である。
【図３】レールカバーを外した状態の吊下げ装置の正面一部断面図である。
【図４】図３のＡ−Ａ線矢示断面図である。
【図５】吊り具の図である。
【図６】他の実施の形態に係る吊下げ装置の側面断面図である。
【符号の説明】
２    レール
３    吊り具
４    取付具
６    レール本体
７    レールカバー
８    壁面
１５    取付溝
３０Ａ  取付片
３０Ｂ  取付片
３７    レール溝
４０    スライダ
【図１】
2004298487.tif 000003
【図２】
2004298487.tif 000004
【図３】
2004298487.tif 000005
【図４】
2004298487.tif 000006
【図５】
2004298487.tif 000007
【図６】
2004298487.tif 000008